(57)【要約】【課題】  積層されたコンクリート層間で生じる初期欠陥を防止し、各層を密実に締め固めることができるコンクリートの打込み方法及び締固め管理装置を提供する。【解決手段】  充填された下層のコンクリートＣ１の上面に、上層のコンクリートＣ２を充填する上層コンクリート充填工程を有するコンクリートの打込み方法において、上層のコンクリート厚を管理するコンクリート層厚管理工程と、上層のコンクリートＣ２から下層のコンクリートＣ１に向けて、バイブレータ１１を挿入する挿入工程と、バイブレータ１１を、下層のコンクリートＣ１に所定の挿入量まで挿入したことを検知する挿入量検知工程と、バイブレータ１１が所定の挿入量まで挿入した状態で振動する締固め工程と、を含む。【選択図】図８
2019023402.tif 000002
【特許請求の範囲】
【請求項１】
充填された下層のコンクリートの上面に、上層のコンクリートを充填する上層コンクリート充填工程を有するコンクリートの打込み方法において、
前記上層のコンクリート厚を管理するコンクリート層厚管理工程と、
前記上層のコンクリートから前記下層のコンクリートに向けて、振動部を挿入する挿入工程と、
前記振動部を、前記下層のコンクリートに所定の挿入量まで挿入したことを検知する挿入量検知工程と、
前記振動部が前記所定の挿入量まで挿入した状態で振動する締固め工程と、を含む
ことを特徴とするコンクリートの打込み方法。
【請求項２】
前記締固め工程の時間を管理する締固め時間管理工程を含む
ことを特徴とする請求項１に記載のコンクリートの打込み方法。
【請求項３】
コンクリートを締め固めた位置を検知する締固め位置検知工程を含む
ことを特徴とする請求項１又は２に記載のコンクリートの打込み方法。
【請求項４】
締固め装置によるコンクリートの締固めを管理する締固め管理装置において、
前記締固め装置は、前記コンクリートに挿入されて振動する振動部と、前記振動部に接続されるケーブル部と、を有し、
前記ケーブル部に装着され、
前記コンクリートの上面までの距離を測定する距離測定手段と、
前記距離測定手段の測定値が所定値に到達してから、所定の時間を経過したことを報知する報知手段と、を有する
ことを特徴とする締固め管理装置。
【請求項５】
前記報知手段は、発光手段を有し、
前記発光手段は、発光状態を変化可能とする
ことを特徴とする請求項４に記載の締固め管理装置。
【請求項６】
前記ケーブル部に着脱可能である
ことを特徴とする請求項４又は５に記載の締固め管理装置。
【発明の詳細な説明】
【技術分野】
【０００１】
本発明は、コンクリートの打込み方法及び締固め管理装置に関するものである。
【背景技術】
【０００２】
一般的に、コンクリートの打込みの高さの管理方法は、型枠の上側から作業員がスケール等の測定器を使用して各層のコンクリートの打込み高さを管理している。また、コンクリートの上面からの距離を測定する距離計測器を用いて、コンクリートの締固めを行うことが知られている（例えば、特許文献１参照）。特許文献１に記載の装置は、振動機のコンクリートへの挿入量を管理することができる。
【先行技術文献】
【特許文献】
【０００３】
【特許文献１】特開２０１２−１９３６０１号公報
【発明の概要】
【発明が解決しようとする課題】
【０００４】
ところで、高さのあるコンクリート構造物を構築する場合、コンクリートを所定の厚さ（例えば、４０〜５０ｃｍ程度）で複数層に分割して打込み（打設）し、打ち込まれたコンクリートを十分に締め固めて、余分な空隙を排除したり、骨材が沈降して分離しないようにしたりする。この場合、振動機を下層のコンクリートに所定の量（例えば、１０ｃｍ程度）まで挿入して、上下層のコンクリートを一体化することで、上層のコンクリートと、下層のコンクリートとの間に、締固め不足などを原因とする初期欠陥が生じることを防止する。
【０００５】
しかしながら、特許文献１に開示された構成では、振動機の下層のコンクリートへの挿入量を管理することができない。そのため、上層のコンクリートと、下層のコンクリートとの間に、締固め不足などを原因とする初期欠陥が生じる、という問題がある。
【０００６】
そこで、本発明は、積層されたコンクリート層間で生じる初期欠陥を防止し、各層を密実に締め固めることができるコンクリートの打込み方法及び締固め管理装置を提供することを目的としている。
【課題を解決するための手段】
【０００７】
前記目的を達成するために、本発明のコンクリートの打込み方法は、充填された下層のコンクリートの上面に、上層のコンクリートを充填する上層コンクリート充填工程を有するコンクリートの打込み方法において、前記上層のコンクリート厚を管理するコンクリート層厚管理工程と、前記上層のコンクリートから前記下層のコンクリートに向けて、振動部を挿入する挿入工程と、前記振動部を、前記下層のコンクリートに所定の挿入量まで挿入したことを検知する挿入量検知工程と、前記振動部が前記所定の挿入量まで挿入した状態で振動する締固め工程と、を含むことを特徴とする。
【０００８】
ここで、本発明のコンクリートの打込み方法は、前記締固め工程の時間を管理する締固め時間管理工程を含むこともできる。
【０００９】
また、本発明のコンクリートの打込み方法は、コンクリートを締め固めた位置を検知する締固め位置検知工程を含むこともできる。
【００１０】
また、前記目的を達成するために、本発明の締固め管理装置は、締固め装置によるコンクリートの締固めを管理する締固め管理装置において、前記締固め装置は、前記コンクリートに挿入されて振動する振動部と、前記振動部に接続されるケーブル部と、を有し、前記ケーブル部に装着され、前記コンクリートの上面までの距離を測定する距離測定手段と、前記距離測定手段の測定値が所定値に到達してから、所定の時間を経過したことを報知する報知手段と、を有することを特徴とする。
【００１１】
ここで、本発明の締固め管理装置おいて、前記報知手段は、発光手段を有し、前記発光手段が、発光状態を変化可能とすることもできる。
【００１２】
また、本発明の締固め管理装置は、前記ケーブル部に着脱可能とすることもできる。
【発明の効果】
【００１３】
このように構成された本発明のコンクリートの打込み方法は、上層のコンクリートと下層のコンクリートとの間を確実に締固めすることができ、締固め不足などを原因とする初期欠陥が生じることを抑制することができる。
【００１４】
また、本発明のコンクリートの打込み方法は、締固め工程の時間を管理する締固め時間管理工程を含むことによって、各層のコンクリートの密実性を向上させるとともに、積層してコンクリートを打込む場合に、上層のコンクリートと下層のコンクリートとの間で、締固め不足や過剰な締固めによる初期欠陥が生じることを抑制することができる。
【００１５】
また、本発明のコンクリートの打込み方法は、コンクリートを締め固めた位置を検知する締固め位置検知工程を含むことで、締固め不足個所を無くすことができる。
【００１６】
また、このように構成された本発明の締固め管理装置は、積層してコンクリートを打込む場合、上層のコンクリートと下層のコンクリートとの間で、締固め不足や過剰な締固めによる初期欠陥が発生することを抑制することができる。
【００１７】
また、本発明の締固め管理装置は、前記報知手段は、発光手段を有し、前記発光手段は、発光状態を変化可能とすることで、作業者は、締固め時間を、発光手段の発光状態によって把握することができるとともに、管理することができる。
【００１８】
また、本発明の締固め管理装置は、前記ケーブル部に着脱可能とすることで、締固め管理装置を、多くのコンクリートの打込み現場で、使用することができる。
【図面の簡単な説明】
【００１９】
【図１】実施例１のコンクリートの打込みに関する全体構成を示す構成図である。
【図２】実施例１の電光掲示板を説明する説明図である。
【図３】実施例１の締固め管理装置の構成を示す構成図である。
【図４】実施例１の締固め管理装置の構成を上方から示す斜視図である。
【図５】実施例１の締固め管理装置の構成を下方から示す斜視図である。
【図６】実施例１の締固め管理システムの構成を説明するブロック図である。
【図７】実施例１のコンクリートの打込みの手順を説明するフローチャートである。
【図８】実施例１のコンクリート層厚管理工程及び挿入量検知工程を説明する説明図である。
【図９】実施例１の挿入量検知工程と挿入時間管理工程の流れを説明するフローチャートである。
【図１０】実施例１の締固め管理装置の電源投入状態を説明する説明図である。
【図１１】実施例１の締固め管理装置の締固め位置での初期状態を説明する説明図である。
【図１２】実施例１の締固め管理装置の締固め位置で所定期間経過後の状態を説明する説明図である。
【発明を実施するための形態】
【００２０】
以下、本開示によるコンクリートの打込み方法及び締固め管理装置を実現する最良の実施形態を、図面に示す実施例１に基づいて説明する。
【実施例１】
【００２１】
まず、構成を説明する。
実施例１におけるコンクリートの打込み方法及び締固め管理装置は、例えば、図１に示すように、鉄筋６を有する鉄筋コンクリート構造物を構築する際に適用される。
【００２２】
以下、実施例１の構成を、「全体構成」、「締固め管理装置の構成」、「締固め管理システムの構成」、「コンクリートの打込みの手順」、に分けて説明する。
【００２３】
［全体構成］
図１は、実施例１のコンクリートの打込みに関する全体構成を示す構成図である。図２は、実施例１の電光掲示板を説明する説明図である。以下、図１及び図２に基づいて、コンクリートの打込みに関する全体構成を説明する。
【００２４】
コンクリートの打込みは、図１に示すように、締固め装置１０と、コンクリート層厚管理装置２０と、締固め管理装置３０と、を用いて行われる。
【００２５】
締固め装置１０は、コンクリートの内部に挿入する振動部としてのバイブレータ１１と、バイブレータ１１に接続されるケーブル部１２と、を備える。コンクリート層厚管理装置２０は、距離計測手段としてのレーザ距離計２１と、表示手段としての電光掲示板２３と、を備える。
【００２６】
レーザ距離計２１は、例えば型枠５又は作業台８の上部に固定され、型枠５内に供給されたコンクリートＣの上面までの距離を計測する。レーザ距離計２１は、送信部２２を有する。送信部２２は、計測された距離情報を電光掲示板２３に送信する。
【００２７】
電光掲示板２３は、作業者Ｍの見やすい場所に設置される。電光掲示板２３は、受信部２４を有する。受信部２４は、レーザ距離計２１の送信部２２から送信された距離情報を受信する。受信部２４にて受信された情報は、電光掲示板２３に表示される。
【００２８】
電光掲示板２３には、図２に示すように、例えば、計測時刻の情報、供給されたコンクリートが何層目であるかの情報、設計情報、計測情報、層厚情報等を表示する。なお、後述する締固め位置検知情報を表示しても良い。
【００２９】
締固め管理装置３０は、締固め装置１０のケーブル部１２に設けられ、コンクリートＣに挿入されないようになっている。
【００３０】
型枠５の内側には、鉄筋６が縦横に配置される。コンクリートＣは、アジテータ車等のコンクリート供給源に接続されたコンクリート供給ホース７から、型枠５の内側に、複数層に分割して供給される。型枠５の上方には、作業台８が設けられる。作業者Ｍは、作業台８に乗って、締固め装置１０を操作する。
【００３１】
［締固め管理装置の構成］
図３は、実施例１の締固め管理装置の構成を示す構成図である。図４は、実施例１の締固め管理装置の構成を上方から示す斜視図である。図５は、実施例１の締固め管理装置の構成を下方から示す斜視図である。以下、図３〜図５に基づいて、締固め管理装置の構成を説明する。
【００３２】
締固め管理装置３０は、図３に示すように、ケーブル部１２に着脱可能に取り付けられる。締固め管理装置３０は、図４及び図５に示すように、第１ハウジング３１と、第２ハウジング３２と、ヒンジ３３と、報知手段の一例である発光手段としてのＬＥＤ３４と、距離測定手段としての距離センサ３５と、バッテリ３６と、制御部としての制御基板４０と、平面位置情報を取得する手段としてのＧＰＳ受信部５１と、位置情報送信部５２と、を備える。
【００３３】
第１ハウジング３１と、第２ハウジング３２とは、ヒンジ３３を介して開閉可能となっている。第１ハウジング３１と第２ハウジング３２は、外部からの水の浸入や衝撃に耐えるため、カバーで覆われている。
【００３４】
ＬＥＤ３４は、赤色ＬＥＤ３４ａと、緑色ＬＥＤ３４ｂとで構成される。赤色ＬＥＤ３４ａ及び緑色ＬＥＤ３４ｂは、各ハウジング３１，３２の上部に、上方に向けて設けられる。このため、バイブレータ１１をコンクリートＣに挿入した状態で、作業台８にいる作業者Ｍが、ＬＥＤ３４の光を視認できるようになっている。赤色ＬＥＤ３４ａ及び緑色ＬＥＤ３４ｂは、点灯、消灯、及び点滅、並びにこれらの時間の切り替えが可能となっている。
【００３５】
距離センサ３５は、例えば超音波式又は静電容量式のものを使用する。距離センサ３５は、各ハウジング３１，３２の下部に設けられる。距離センサ３５は、供給されたコンクリートＣの上面までの距離を測定する。
【００３６】
ところで、一般的に使用される距離センサとして赤外線センサがある。距離センサとして赤外線センサを使用すると、外乱光が多い屋外環境やコンクリート上面に上昇した混練水による乱反射によって、正確な距離を計測できない、という問題がある。
【００３７】
一方、超音波式の距離センサは、距離分解能が比較的低いが、混練水などの影響を受けにくいため採用した。しかし、打設時に均一ではないコンクリート表面の高さが距離計測精度に影響することを考慮して、２つの超音波センサの平均値から距離を求めても良い。
【００３８】
また、静電容量式の距離センサは、コンクリート表面との距離を長く取れないが、非接触でコンクリートの有無を正確に判断することができる。また、計測する物質によって静電誘導の反応が異なるため、鉄筋とコンクリートを識別することが可能になり、配筋による距離の誤計測を防止することができる。
【００３９】
バッテリ３６は、例えば９Ｖの乾電池を使用する。バッテリ３６は、第２ハウジング３２の内側に配置される。制御基板４０は、第１ハウジング３１の内側に配置される。平面位置情報を取得する手段としてのＧＰＳ受信部５１は、第１ハウジング３１の外側に配置される。ＧＰＳ受信部５１は、ＧＰＳ衛星からＧＰＳ信号を受信する。位置情報送信部５２は、第１ハウジング３１の外側に配置される。位置情報送信部５２は、設定した締固め時間で作業を完了した情報、締固めした位置の情報等を電光掲示板２３に送信する。
【００４０】
ところで、建築工事などの建物内や山間部で使用する場合、ＧＰＳ（ＧＮＳＳ）の信号が遮られて受信できないことがある。その場合、Ｗｉ−ＦｉやＢｌｕｅｔｏｏｔｈ（登録商標）等の電波強度を利用して、締固めした位置の情報を取得しても良い。具体的には、コンクリート打込みエリアの周辺に、基地局やアクセスポイント、ビーコン等を設置し、センサ本体やバイブレータを持っている作業者に送受信装置やスマートフォンを保有させることで位置を計測する。
【００４１】
また、センサ本体やバイブレータを持っている作業者に、マーカーや発光体を取り付け、エリアカメラやステレオカメラ等でコンクリート打込みエリアを撮像範囲とすることで締固めした位置の情報を取得しても良い。エリアカメラの場合、平面的な位置情報しか得られていないため、コンクリート打込みエリアにＱＲコード（登録商標）等のマーカーを設置し、画像上の位置を特定する。ステレオカメラの場合、オクルージョンが発生しないようにコンクリート打込みエリアの周囲に複数台のカメラを設置し、各カメラで得られた３次元情報を統合する。
【００４２】
締固め管理装置３０は、ボルト３７とナット３８により、ケーブル部１２に着脱可能となっている。
【００４３】
［締固め管理システムの構成］
図６は、実施例１の締固め管理システムの構成を説明するブロック図である。以下、図６に基づいて、締固め管理システムの構成を説明する。
【００４４】
制御部４０は、ＣＰＵ４１と、ＲＡＭ４２と、ＲＯＭ４３と、タイマ４４と、を備える。
【００４５】
ＣＰＵ４１は、演算手段であり、締固め管理装置３０全体の動作を制御する。ＲＡＭ４２は、情報の高速な読み書きが可能な揮発性の記憶媒体であり、ＣＰＵ４１が情報を処理する際の作業領域として用いられる。ＲＯＭ４３は、読み出し専用の不揮発性記憶媒体である。ＲＯＭ４３には、予め締固め管理装置３０の取付位置情報と、下層のコンクリートＣ１へのバイブレータ１１の挿入深さの設定値と、各層のコンクリート厚の情報と、が入力される。
【００４６】
ここで、締固め管理装置３０の取付位置情報は、バイブレータ１１の先端から、締固め管理装置３０を取り付けた位置までの距離Ｌ１である（図８参照）。下層のコンクリートＣ１へのバイブレータ１１の挿入深さの設定値は、バイブレータ１１が下層のコンクリートＣ１へ挿入する設計値の挿入深さＬ２である（図８参照）。各層のコンクリート厚の情報は、レーザ距離計２１が計測した計測情報に基づいて、算出された各層のコンクリート厚Ｈである（図８参照）。
【００４７】
タイマ４４は、ＬＥＤ３４の点灯時間や点滅時間をカウントする。
【００４８】
制御部４０の入力ポートには、距離センサ３５とＧＰＳ受信部５１が接続される。制御部４０の出力ポートには、ＬＥＤ３４と位置情報送信部５２が接続される。
【００４９】
制御部４０は、距離センサ３５からの情報に基づいて、ＬＥＤ３４の点灯・消灯・点滅を制御する。制御部４０は、ＧＰＳ受信部５１から情報に基づいて、締固めの平面位置情報を位置情報送信部５２に送信する。
【００５０】
［コンクリートの打込みの手順］
次に、コンクリートの打込みの手順を説明する。図７は、実施例１のコンクリートの打込みの手順を説明するフローチャートである。
【００５１】
図７に示すように、コンクリートの打込みは、「最下層コンクリート充填工程」、「最下層コンクリート締固め工程」、「上層コンクリート充填工程」、「コンクリート層厚管理工程」、「バイブレータ挿入工程」、「挿入量検知工程」、「締固め工程」、「挿入時間管理工程」、「締固め位置検知工程」、を経て行われる。
【００５２】
（最下層コンクリート充填工程）
最下層コンクリート充填工程では、コンクリート供給ホース７から、コンクリートが型枠５の内側に供給され、最下層のコンクリートＣ１を充填する（ステップＳ１）。
【００５３】
（最下層コンクリート締固め工程）
最下層コンクリート締固め工程では、作業者Ｍが、締固め装置１０を電源ＯＮにし、バイブレータ１１を最下層のコンクリートＣ１に挿入し、締固めを行う（ステップＳ２）。
【００５４】
（上層コンクリート充填工程）
上層コンクリート充填工程では、コンクリート供給ホース７から、コンクリートが型枠５の内側に供給され、下層のコンクリートＣ１の上面に上層のコンクリートＣ２を充填する（ステップＳ３）。
【００５５】
（コンクリート層厚管理工程）
次に、コンクリート層厚管理工程を説明する。図８は、実施例１のコンクリート層厚管理工程及び挿入量検知工程を説明する説明図である。なお、図８では、説明の都合により、コンクリート供給ホース７と鉄筋６を省略して記載している。
【００５６】
コンクリート層厚管理工程では、作業者Ｍは、レーザ距離計２１が計測した情報を、電光掲示板２３から把握し、各層のコンクリート厚を管理する（ステップＳ５）。具体的には、図８に示すように、レーザ距離計２１が、供給されたコンクリートの上面までの距離を計測する。この計測情報は、レーザ距離計２１の送信部２２から、電光掲示板２３に向けて送信される。電光掲示板２３の受信部２４は、レーザ距離計２１の送信部２２から送信された情報を受信する。受信部２４が受信した情報は、電光掲示板２３に表示される。電光掲示板２３には、図示しない制御部が設けられ、この制御部が、レーザ距離計が計測した計測情報に基づいて、各層のコンクリート厚を算出する。この算出された情報は、電光掲示板２３に表示される。作業者Ｍは、電光掲示板２３に表示された情報により、各層のコンクリート厚を把握する。これにより、作業者Ｍは、各層のコンクリート厚を管理する。
【００５７】
即ち、図８に示すように、作業者Ｍは、最下層のコンクリートＣ１の上面までの距離Ｄ１と、上層のコンクリートＣ２の上面までの距離Ｄ２を管理する。そのため、作業者Ｍは、各層のコンクリート厚を厚さＨに管理することができる。
【００５８】
（バイブレータ挿入工程）
バイブレータ挿入工程では、上層のコンクリートＣ１から下層のコンクリートＣ２に向けて、バイブレータ１１を挿入する（ステップＳ５）。
【００５９】
（挿入量検知工程）
挿入量検知工程（ステップＳ６）では、図８に示すように、各層のコンクリート厚の厚さＨと、バイブレータ１１の先端から締固め管理装置３０を取り付けた位置までの距離Ｌ１と、距離センサ３５により測定されたコンクリートＣの上面までの距離Ｄ４と、の情報に基づいて、挿入量を検知する。具体的には、バイブレータ１１が下層のコンクリートＣ１に、所定量まで挿入された際、制御部４０は、赤色ＬＥＤ３４ａを消灯し、緑色ＬＥＤ３４ｂを点灯する。挿入量検知工程の流れについては、後述する。
【００６０】
（締固め工程）
締固め工程では、バイブレータ１１が下層のコンクリートＣ１に、所定量まで挿入された状態で、作業者Ｍが、締固め装置１０を電源ＯＮにし、締固めを行う（ステップＳ７）。なお、締固め装置１０を電源ＯＮにするタイミングは、この態様に限定されず、例えばバイブレータ挿入工程で締固め装置１０を電源ＯＮにしても良い。
【００６１】
（挿入時間管理工程）
挿入時間管理工程では、バイブレータ１１が下層のコンクリートＣ１に、所定量まで挿入された状態における挿入時間を管理する（ステップＳ８）。具体的には、バイブレータ１１が下層のコンクリートＣ１に所定量まで挿入された状態が、所定の時間（例えば、５秒、１０秒又は１５秒）を経過すると、制御部４０は、点灯していた緑色ＬＥＤ３４ｂを点滅する。挿入時間管理工程の流れについては、後述する。
【００６２】
（締固め位置検知工程）
締固め位置検知工程では、ＧＰＳ衛星からＧＰＳ受信部５１で受信したＧＰＳ信号に基づいて、制御部４０が締固めした平面位置を算出する（ステップＳ９）。締固めの平面位置情報は、位置情報送信部５２から電光掲示板２３に向けて送信され、電光掲示板２３の受信部２４によって受信される。受信部２４によって受信された締固めの平面位置情報は、電光掲示板２３に表示される。
【００６３】
建築工事などの建物内や山間部で使用する場合は、Ｗｉ−ＦｉやＢｌｕｅｔｏｏｔｈ等の電波強度を利用して、締固めした位置の情報を取得しても良いし、エリアカメラやステレオカメラ等で締固めした位置の情報を取得しても良い。
【００６４】
次いで、上層のコンクリートＣ２の上層に、さらに上層のコンクリートを形成するか否かの判断を作業者Ｍが行う（ステップＳ１０）。上層のコンクリートを形成すると判断した場合（ステップＳ１０でＹＥＳ）、ステップＳ３に戻る。一方、上層のコンクリートを形成しないと判断した場合（ステップＳ１０でＮＯ）、コンクリートの打込み作業を終了し、仕上げ作業に入る。
【００６５】
次に、挿入量検知工程と挿入時間管理工程の流れを説明する。図９は、実施例１の挿入量検知工程と挿入時間管理工程の流れを説明するフローチャートである。以下、図９に基づいて、挿入量検知工程と挿入時間管理工程の流れを説明する。
【００６６】
図９に示すように、締固め管理装置３０を電源ＯＮにすると、制御部４０は、赤色ＬＥＤ３４ａを点灯する（ステップＳ１１）。次いで、制御部４０は、距離センサ３５の測定した距離Ｄ４が、所定値に達したか否かを判断する（ステップＳ１２）。即ち、ステップＳ１２では、バイブレータ１１が、下層のコンクリートＣ１に所定の挿入量（例えば、１０ｃｍ）まで挿入されたか否かを判断する。距離センサ３５の測定した距離Ｄ４が、所定の値に達したと判断した場合（ステップＳ１２でＹＥＳ）、ステップＳ１３に進む。一方、距離センサ３５の測定した距離Ｄ４が、所定の値を達していないと判断した場合（ステップＳ１２でＮＯ）、ステップＳ１２に戻る。
【００６７】
次いで、制御部４０は、赤色ＬＥＤ３４ａを消灯し、緑色ＬＥＤ３４ｂを点灯する（ステップＳ１３）。即ち、ステップＳ１３では、バイブレータ１１が、下層のコンクリートＣ１に所定の挿入量（例えば、１０ｃｍ）まで挿入されたことを報知する。
【００６８】
次いで、制御部４０は、タイマ４４を起動し（ステップＳ１４）、ステップＳ１５に進む。ステップＳ１５では、制御部４０は、タイマ４４が所定のカウント値（例えば、５秒，１０秒又は１５秒）をカウントしたか否かを判断する。即ち、ステップＳ１５では、バイブレータ１１が、下層のコンクリートＣ１に所定の挿入量まで挿入された状態で、所定の時間が経過したか否かを判断する。タイマ４４が所定のカウント値をカウントしたと判断した場合（ステップＳ１５でＹＥＳ）、ステップＳ１６に進む。一方、タイマ４４が所定のカウント値をカウントしていないと判断した場合（ステップＳ１５でＮＯ）、ステップＳ１５に戻る。
【００６９】
次いで、制御部４０は、タイマ４４をリセットし、緑色ＬＥＤ３４ｂを点滅させる（ステップＳ１６）。次いで、制御部４０は、距離センサ３５の測定した距離Ｄ４が、所定の値より大きいか否かを判断する（ステップＳ１７）。即ち、ステップＳ１７では、バイブレータ１１が、コンクリートＣから引き抜かれたか否かを判断する。距離センサ３５の測定した距離Ｄ４が、所定の値より大きい場合（ステップＳ１７でＹＥＳ）、ステップＳ１１に戻る。一方、距離センサ３５の測定した距離Ｄ４が、所定の値より小さい場合（ステップＳ１７でＮＯ）、この処理を終了する。
【００７０】
次に、作用を説明する。
実施例１のコンクリートの打込み方法及び締固め管理装置における作用を、「コンクリートの打込み方法の比較作用」、「コンクリートの打込み方法の他の特徴作用」、「締固め管理装置の比較作用」、［締固め管理装置の他の特徴作用］、に分けて説明する。
【００７１】
［コンクリートの打込み方法の比較作用］
例えば、各層のコンクリート厚を管理しない場合を比較例とする。
【００７２】
比較例の場合、各層のコンクリートが十分に締固めできているのか不明であるとともに、バイブレータを下層のコンクリートへ挿入する挿入量を管理することができない。そのため、上層のコンクリートと、下層のコンクリートとの間に、締固め不足などを原因とする初期欠陥が生じる、という課題がある。
【００７３】
これに対し、実施例１では、充填された下層のコンクリートＣ１の上面に、上層のコンクリートＣ２を充填する上層コンクリート充填工程を有するコンクリートの打込み方法において、上層のコンクリート厚を管理するコンクリート層厚管理工程と、上層のコンクリートＣ２から下層のコンクリートＣ１に向けて、バイブレータ１１を挿入する挿入工程と、バイブレータ１１を、下層のコンクリートＣ１に所定の挿入量まで挿入したことを検知する挿入量検知工程と、バイブレータ１１が所定の挿入量まで挿入した状態で振動する締固め工程と、を含む（図８）。
【００７４】
これにより、作業者Ｍは、バイブレータ１１を、下層のコンクリートＣ２に、適正な量まで挿入することができる。そのため、上層のコンクリートＣ２と下層のコンクリートＣ１との間を確実に締固めすることができ、締固め不足などを原因とする初期欠陥が生じることを抑制することができる。
【００７５】
［コンクリートの打込み方法の他の特徴作用］
実施例１では、締固め工程の時間を管理する締固め時間管理工程を含む（図９）。
【００７６】
これにより、締固め時間を管理することができ、過振動や振動不足を回避することができる。そのため、各層のコンクリートの密実性を向上させるとともに、積層してコンクリートを打込む場合、上層のコンクリートＣ２と下層のコンクリートＣ１との間で、締固め不足や過剰な締固めによる初期欠陥が発生することを抑制することができる。
【００７７】
実施例１では、コンクリートを締め固めた位置を検知する締固め位置検知工程を含む（図６）。これにより、締固めした位置を把握することができる。そのため、締固め不足個所を無くすことができる。
【００７８】
［締固め管理装置の比較作用］
例えば、コンクリートへのバイブレータの挿入時間を管理しない場合を比較例とする。
【００７９】
比較例の場合、バイブレータにより、振動をコンクリートに与え過ぎてしまう虞がある。そうすると、コンクリートの構成材料の分布が不均一となる材料分離が生じる。そのため、積層してコンクリートを打込む場合、上層のコンクリートと下層のコンクリートとの間で、過剰な締固めによる初期欠陥が発生する課題がある。一方、バイブレータにより、コンクリートに与える振動が不足してしまう虞がある。そのため、締固め不足による初期欠陥が発生する課題がある。
【００８０】
これに対して、実施例１では、締固め装置１０によるコンクリートの締固めを管理する締固め管理装置３０において、締固め装置１０は、コンクリートＣに挿入されて振動するバイブレータ１１と、バイブレータ１１に接続されるケーブル部１２と、を有し、ケーブル部１２に装着され、コンクリートＣの上面までの距離を測定する距離センサ３５と、距離センサ３５の測定値が所定値に到達してから、所定の時間を経過したことを報知するＬＥＤ３４と、を有する（図９）。
【００８１】
ここで、実施例１の締固め管理装置の特徴作用を説明する。図１０は、実施例１の締固め管理装置の電源投入状態を説明する説明図である。図１１は、実施例１の締固め管理装置の締固め位置での初期状態を説明する説明図である。図１２は、実施例１の締固め管理装置の締固め位置で所定期間経過後の状態を説明する説明図である。以下、「電源投入状態」、「締固め位置での初期状態」、「締固め位置で所定期間経過後の状態」、に分けて締固め管理装置の特徴作用について説明する。
【００８２】
（電源投入状態）
図１０に示すように、締固め管理装置３０の電源を投入した電源投入状態では、赤色ＬＥＤ３４ａが点灯する。これにより、作業者Ｍは、締固め管理装置３０が電源ＯＮになったことを確認することができる。
【００８３】
（締固め位置での初期状態）
図１１に示すように、締固め装置１０がコンクリートＣへ挿入され、締固め装置１０が締固めされる所定の位置に到達すると、緑色ＬＥＤ３４ｂが点灯する。これにより、作業者Ｍは、バイブレータ１１が、コンクリートＣに、締固めされる所定の位置まで挿入されたことを確認することができる。
【００８４】
（締固め位置で所定期間経過後の状態）
図１２に示すように、締固めされる所定の位置まで、コンクリートＣに挿入された状態で、所定の時間が経過すると、緑色ＬＥＤ３４ｂが点滅する。これにより、作業者Ｍは、所定の時間まで、締固めを実施したことを確認することができる。
【００８５】
これにより、締固め時間を管理することができ、過振動や振動不足を回避することができる。そのため、積層してコンクリートを打込む場合、上層のコンクリートと下層のコンクリートとの間で、締固め不足や過剰な締固めによる初期欠陥を抑制することができる。また、締固め不足を回避することができる。
【００８６】
［締固め管理装置の他の特徴作用］
実施例１では、報知手段は、ＬＥＤ３４を有し、ＬＥＤ３４は、発光状態を変化可能とする（図１０〜図１２）。
これにより、締固め時間によって、ＬＥＤ３４の発光状態を変化することができる。そのため、作業者Ｍは、締固め時間を、ＬＥＤ３４の発光状態によって把握することができるとともに、管理することができる。
【００８７】
実施例１では、締固め管理装置３０は、ケーブル部１２に着脱可能である（図４）。
これにより、締固め管理装置３０を既存の締固め装置１０に装着することができる。そのため、締固め管理装置３０を、多くのコンクリートの打込み現場で、使用することができる。
【００８８】
以上、本開示のコンクリートの打込み方法及び締固め管理装置を実施例１に基づき説明してきた。しかし、具体的な構成については、この実施例１に限られるものではなく、特許請求の範囲の各請求項に係る発明の要旨を逸脱しない限り、設計の変更や追加等は許容される。
【００８９】
実施例１では、距離測定手段を、超音波式又は静電容量式の距離センサ３５とする例を示した。しかし、距離測定手段としては、この態様に限定されない。また、距離測定手段は、鉄筋の影響を受けずに、締固め管理装置からコンクリートの上面までの距離を測定できるものが望ましい。
【００９０】
実施例１では、距離計測手段を、レーザ距離計２１とする例を示した。しかし、距離計測手段としては、この態様に限定されない。
【００９１】
実施例１では、赤色ＬＥＤ３４ａ又は緑色ＬＥＤ３４ｂを点灯又は点滅させることで、報知態様を異ならせる例を示した。しかし、この態様に限定されず、異なる色のＬＥＤを使用しても良いし、他のパターンで報知するようにしても良い。
【００９２】
実施例１では、報知手段を、発光手段としてのＬＥＤ３４とする例を示した。しかし、報知手段としては、スピーカ等の音出力装置としても良い。
【００９３】
実施例１では、コンクリートの打込み方法及び締固め管理装置は、鉄筋を有する鉄筋コンクリート構造物に適用する例を示した。しかし、コンクリートの打込み方法及び締固め管理装置は、鉄筋を有しないコンクリート構造物にも適用可能である。
【符号の説明】
【００９４】
１０      締固め装置
１１      バイブレータ（振動部の一例）
１２      ケーブル部
３０      締固め管理装置
３４      ＬＥＤ（報知手段の一例）
３５      距離センサ（距離測定手段の一例）
Ｃ１      下層のコンクリート
Ｃ２      上層のコンクリート
【図１】
2019023402.tif 000003
【図２】
2019023402.tif 000004
【図３】
2019023402.tif 000005
【図４】
2019023402.tif 000006
【図５】
2019023402.tif 000007
【図６】
2019023402.tif 000008
【図７】
2019023402.tif 000009
【図８】
2019023402.tif 000010
【図９】
2019023402.tif 000011
【図１０】
2019023402.tif 000012
【図１１】
2019023402.tif 000013
【図１２】
2019023402.tif 000014